(57)【特許請求の範囲】
【請求項１】
浴槽湯水を循環させるための循環ポンプ付き追い焚き循環通路と、該追い焚き循環通路内の水温を検出する循環通路水温検出手段と、燃焼機器を取り巻く外気温を検出する外気温検出手段とを有し、追い焚き循環通路内の検出水温が当該水温に対する設定のしきい値よりも低下する条件と検出外気温が当該外気温に対する設定の外気温しきい値よりも低下する条件との少なくとも一方を満たしたときに循環ポンプを駆動する凍結防止用ポンプ駆動条件および予め定めたポンプ停止条件に基づいて循環ポンプの駆動・停止を制御して追い焚き循環通路内の水の凍結を防止する凍結防止機能を備えた燃焼機器であって、循環ポンプの駆動中あるいはその停止直後に前記循環通路水温検出手段により検出される追い焚き循環通路内の水温と、上記外気温検出手段により検出される外気温と、上記追い焚き循環通路内の水温と外気温を組み合わせてポンプ待機許容時間を求めるための予め与えられたデータとによって、循環ポンプが停止してから、追い焚き循環通路内の水が凍結する前に循環ポンプを駆動させるまでのポンプ待機許容時間を求めるポンプ待機許容時間検出部と；前記ポンプ停止条件に基づいて循環ポンプが停止してから上記ポンプ待機許容時間検出部により検出されたポンプ待機許容時間を経過したときには、上記凍結防止用ポンプ駆動条件が満たされていなくても、循環ポンプを駆動させて追い焚き循環通路内の水の凍結を防止する凍結防止ポンプ駆動制御部と；が設けられていることを特徴とする燃焼機器。
【請求項２】
浴槽湯水を循環させるための循環ポンプ付き追い焚き循環通路と、該追い焚き循環通路内の水温を検出する循環通路水温検出手段と、燃焼機器を取り巻く外気温を検出する外気温検出手段とを有し、予め定めた凍結防止用ポンプ駆動条件およびポンプ停止条件に基づいて循環ポンプの駆動・停止を制御して追い焚き循環通路内の水の凍結を防止する凍結防止機能を備えた燃焼機器であって、循環ポンプの駆動中あるいはその停止直後に前記循環通路水温検出手段により検出される追い焚き循環通路内の水温と、上記外気温検出手段により検出される外気温と、上記追い焚き循環通路内の水温と外気温を組み合わせてポンプ待機許容時間を求めるための予め与えられたデータとによって、循環ポンプが停止してから、追い焚き循環通路内の水が凍結する前に循環ポンプを駆動させるまでのポンプ待機許容時間を求めるポンプ待機許容時間検出部と；前記ポンプ停止条件に基づいて循環ポンプが停止してから上記ポンプ待機許容時間検出部により検出されたポンプ待機許容時間を経過したときには、上記凍結防止用ポンプ駆動条件が満たされていなくても、循環ポンプを駆動させて追い焚き循環通路内の水の凍結を防止する凍結防止ポンプ駆動制御部と；ポンプ待機許容時間のデータを格納するデータ格納部と；循環ポンプの停止中に、予め定めたタイミング毎に、更新用のポンプ待機許容時間を検出し、該検出された更新用のポンプ待機許容時間が前記データ格納部に格納されているポンプ待機許容時間よりも短いときには、上記データ格納部のポンプ待機許容時間を上記更新用のポンプ待機許容時間に更新するポンプ待機許容時間更新部と；が設けられ、凍結防止ポンプ駆動制御部は、上記データ格納部に格納されているポンプ待機許容時間に基づいて循環ポンプの駆動制御を行う構成としたことを特徴とする燃焼機器。
【請求項３】
ポンプ待機許容時間更新部は、前回の循環ポンプの駆動中あるいはその停止直後に循環通路水温検出手段により検出された追い焚き循環通路内の水温に基づいて、更新用のポンプ待機許容時間を検出してポンプ待機許容時間の更新動作を行う構成と成していることを特徴とする請求項２記載の燃焼機器。
【請求項４】
浴槽湯水を循環させるための循環ポンプ付き追い焚き循環通路と、該追い焚き循環通路内の水温を検出する循環通路水温検出手段とを有し、予め定めた凍結防止用ポンプ駆動条件およびポンプ停止条件に基づいて循環ポンプの駆動・停止を制御して追い焚き循環通路内の水の凍結を防止する凍結防止機能を備えた燃焼機器であって、循環ポンプの駆動中あるいはその停止直後に循環通路水温検出手段により追い焚き循環通路の水温を検出した後の循環ポンプの停止中に、予め定めた温度検出用タイミング間隔時間で循環ポンプを強制的に駆動させて循環通路水温検出手段により追い焚き循環通路内の水温を検出し、該検出された追い焚き循環通路の水温と前回検出された追い焚き循環通路内の水温との偏差を検出する温度偏差検出部と；循環ポンプの停止中における追い焚き循環通路内の水の時間的な温度変化に基づいて燃焼機器を取り巻く外気温を推定検出するためのデータが与えられ、該データと、前記温度偏差検出部により検出される追い焚き循環通路の水温偏差と、前記温度偏差検出部のタイミング間隔時間とに基づき、燃焼機器を取り巻く外気温を推定検出する外気温推定検出部と；循環ポンプの駆動中あるいはその停止直後に前記循環通路水温検出手段により検出される追い焚き循環通路内の水温と、上記外気温推定検出部により推定検出される外気温と、上記追い焚き循環通路内の水温と上記外気温を組み合わせてポンプ待機許容時間を求めるための予め与えられたデータとによって、循環ポンプが停止してから、追い焚き循環通路内の水が凍結する前に循環ポンプを駆動させるまでのポンプ待機許容時間を求めるポンプ待機許容時間検出部と；前記ポンプ停止条件に基づいて循環ポンプが停止してから上記ポンプ待機許容時間検出部により検出されたポンプ待機許容時間を経過したときには、上記凍結防止用ポンプ駆動条件が満たされていなくても、循環ポンプを駆動させて追い焚き循環通路内の水の凍結を防止する凍結防止ポンプ駆動制御部と；が設けられていることを特徴とする燃焼機器。
【請求項５】
循環ポンプの駆動中あるいはその停止直後に循環通路水温検出手段により追い焚き循環通路の水温を検出した後の循環ポンプの停止中に、予め定めた温度検出用タイミング間隔時間で循環ポンプを強制的に駆動させて循環通路水温検出手段により追い焚き循環通路内の水温を検出し、該検出された追い焚き循環通路の水温と前回検出された追い焚き循環通路内の水温との偏差を検出する温度偏差検出部と；循環ポンプの停止中における追い焚き循環通路内の水の時間的な温度変化に基づいて燃焼機器を取り巻く外気温を推定検出するためのデータが与えられ、該データと、前記温度偏差検出部により検出される追い焚き循環通路の水温偏差と、前記温度偏差検出部のタイミング間隔時間とに基づき、燃焼機器を取り巻く外気温を推定検出する外気温推定検出部と；が設けられており、ポンプ待機許容時間検出部は、外気温検出手段の検出外気温に代えて、上記外気温推定検出部により推定検出される外気温を利用して、ポンプ待機許容時間を求める構成と成していることを特徴とする請求項２又は請求項３記載の燃焼機器。
【請求項６】
外気温検出手段により検出される外気温が設定の外気温しきい値よりも低下したとき、あるいは、循環通路水温検出手段により検出される追い焚き循環通路の水温が設定の循環通路水温しきい値よりも低下したときに、凍結防止用ポンプ駆動条件が満たされたとして循環ポンプを強制的に駆動させ追い焚き循環通路内の水の凍結を防止する凍結防止制御部が設けられていることを特徴とする請求項２乃至請求項５の何れか１つに記載の燃焼機器。
【発明の詳細な説明】
【０００１】
【発明の属する技術分野】
本発明は、風呂の追い焚きを行うことができる燃焼機器に関するものである。
【０００２】
【従来の技術】
図６には出願人が開発している燃焼機器である一缶二水路タイプの風呂給湯器のシステム構成例が示されている。同図において、器具ケース１内には給湯機能を行う給湯熱交換器２と追い焚き機能を行う追い焚き熱交換器３とが一体化されて配設されている。すなわち、複数の共通のフィンプレート４に給湯側の水管を貫通装着して給湯熱交換器２と成し、同じくフィンプレート４に追い焚き側の水管を貫通装着して追い焚き熱交換器３と成している。
【０００３】
これら一体化された熱交換器の下方側には給湯熱交換器２と追い焚き熱交換器３を共通に加熱するバーナ５が配置されており、このバーナ５の燃焼の給排気を行う燃焼ファン６がバーナの下側に配置されている。バーナ５にはガス通路９が接続されており、このガス通路９には通路の開閉を行う電磁弁７，８と、ガスの供給量（バーナの燃焼熱量）を開弁量によって制御する比例弁１０とが介設されている。なお、前記比例弁１０の開弁量制御は、具体的には、比例弁１０に印加される電流（開弁駆動電流）の可変制御によって行われている。
【０００４】
前記給湯熱交換器２の入側には給水通路である給水管１１が接続されており、この給水管１１には給湯熱交換器２の入水温度（給水温度）を検出する給水温度検出センサ１２と、給水（給湯）流量（湯張りの場合には湯張り流量）を検出する流量検出センサ１３とが設けられている。なお、給水管１１の入口側は水道管に接続されている。
【０００５】
前記給湯熱交換器２の出側には給湯通路である給湯管１４が接続されており、この給湯管１４は外部配管を介して台所等の所望の給湯場所に導かれている。前記給湯熱交換器２の出側の流路には給湯温度を検出する給湯温度センサ１５が設けられている。
【０００６】
前記追い焚き熱交換器３の入側には管路１６の一端側が接続され、管路１６の他端側は循環ポンプ１７の吐出側に接続されている。そして、循環ポンプ１７の吸込側には戻り管２０の一端側が接続され、この戻り管２０の他端側は外部配管であるペアチューブ３１（３１ａ）を介して浴槽１８に接続されており、上記戻り管２０には浴槽１８の循環湯水の温度を風呂温度として検出する循環通路水温検出手段である風呂温度センサ２１と、流水を検出する流量センサ又は流水センサ（流水スイッチ）１９とが設けられている。
【０００７】
前記追い焚き熱交換器３の出側には往管２２の一端側が接続され、往管２２の他端側は外部配管であるペアチューブ３１（３１ｂ）を介して浴槽１８に接続されており、浴槽１８からペアチューブ３１ａを介して戻り管２０、循環ポンプ１７、管路１６、追い焚き熱交換器３、往管２２およびペアチューブ３１ｂを介して浴槽１８に戻る通路は浴槽湯水が循環する追い焚き循環通路２３を構成している。
【０００８】
前記給湯熱交換器２の給湯管１４と追い焚き循環通路２３（図６においては管路１６）は湯張り通路２４によって連通接続されており、この湯張り通路２４には通路の開閉を行う電磁弁等により構成される注湯弁２５が介設され、この注湯弁２５の下流側の湯張り通路２４には浴槽１８の水位を水圧によって検出する水位センサ（圧力センサ）２６が設けられている。
【０００９】
前記流量検出センサ１３、温度センサ１２，１５，２１、水位センサ２６等のセンサ検出信号は制御装置２７に加えられており、この制御装置２７にはリモコン２８が接続されている。このリモコン２８には給湯温度を設定する給湯温度設定手段や、風呂温度を設定する風呂温度設定手段や、給湯運転、自動運転、追い焚き運転、湯張り運転等を指令する各種運転ボタンや、必要な情報を表示する表示部等が設けられている。
【００１０】
前記制御装置２７は各種センサ検出信号とリモコン２８の情報を取り込み、内部に与えられているシーケンスプログラムに従い、給湯運転と、湯張り運転と、追い焚き運転を次のように制御する。
【００１１】
例えば、台所等に導かれた給湯通路の水栓３０が開けられ、給湯運転を開始することが可能な予め定めた給湯作動流量（例えば、２．５リットル／ｍｉｎ）以上の流量が流量検出センサ１３により検出されると、燃焼ファン６の回転が行われ、電磁弁７，８の開動作が行われてバーナ５に燃料ガスが供給されると共に、点火器（図示せず）の点火によりバーナ５の燃焼が行われ、給湯温度センサ１５で検出される給湯温度がリモコン２８で設定される給湯設定温度に一致するように比例弁１０への開弁駆動電流を制御し、給湯熱交換器２を通る水をバーナ５の火炎により加熱して設定温度の湯を作り出し、この湯を給湯管１４を介して給湯場所へ給湯する。そして、水栓３０が閉められて、流量検出センサ１３からオフ信号が出力されたときに、バーナ燃焼を停止し、給湯運転モードの動作を終了する。
【００１２】
また、リモコン２８により自動運転のモードや、湯張り運転モードが指令されると、注湯弁２５が開けられる。そして、流量検出センサ１３により上記給湯作動流量以上の流量が検出されると、給湯運転の場合と同様にバーナ５の燃焼を開始し、給湯熱交換器２で湯を作り出し、該作り出された湯は給湯管１４、湯張り通路２４を通り、さらに分岐して管路１６から追い焚き熱交換器３を経て往管２２を通る経路と戻り管２０を通る経路の両側から浴槽１８に湯が落とし込まれる。そして、設定水位までの湯の水量が落とし込まれたとき、又は水位センサ２６により設定水位が検出されたときに注湯弁２５が閉じられバーナ５の燃焼が停止して湯張り運転モードの動作が終了する。
【００１３】
追い焚き運転モードの動作においては、注湯弁２５が閉じられている状態で、循環ポンプ１７が回転駆動され、浴槽１８内の湯水の循環が追い焚き循環通路２３を通して行われ、風呂温度センサ２１により検出される風呂検出温度が風呂設定温度よりも低いときには、流量センサ（流水センサ）１９から流水オン信号を受けてバーナ５の燃焼が行われ、追い焚き循環通路２３を通して循環する浴槽湯水を追い焚き熱交換器３で加熱する。そして、風呂温度センサ２１により浴槽湯水の温度が風呂設定温度に達したことが検出されたときに、循環ポンプ１７の停止とバーナ５の燃焼停止が行われて追い焚き運転モードの動作が終了する。
【００１４】
【発明が解決しようとする課題】
ところで、冬季等に追い焚き循環通路２３内の滞留湯水が凍結するのを防止するために、次のような凍結防止機能が燃焼機器に備えられている場合がある。例えば、燃焼機器を取り巻く外気温を検出する外気温検出手段である外気温センサ３２が設けられ、該外気温センサ３２により検出される外気温Ｔｇと、風呂温度センサ２１により検出される追い焚き循環通路２３内の水温Ｔｈとを時々刻々と取り込み、上記検出外気温Ｔｇが設定の外気温しきい値（例えば、２℃）よりも低下し、かつ、追い焚き循環通路２３の検出水温Ｔｈが設定の循環通路水温しきい値（例えば、２℃）よりも低下したときに、追い焚き循環通路２３内の水が凍結する虞があると判断して、循環ポンプ１７を駆動させ追い焚き循環通路２３内の水を流動させて追い焚き循環通路２３内の水の凍結を防止する。
【００１５】
しかしながら、前記ペアチューブ３１は室外に晒されていることから、循環ポンプ１７の停止中には、ペアチューブ３１内の滞留水の温度は、器具ケース１内に収容されている戻り管２０等の追い焚き循環通路２３部分の水温よりも低くなる。風呂温度センサ２１は器具ケース１内の管路の水温を検出しており、ペアチューブ３１内の水温を直接的に検出することができないので、ペアチューブ３１内の滞留水が凍結直前の温度まで低下してしまっていることを風呂温度センサ２１の検出値に基づき検知するのは難しく、ペアチューブ３１内の滞留水が凍結直前の温度まで低下しているのにも拘わらず、風呂温度センサ２１の検出水温が前記しきい値温度以上であるために、凍結防止用の循環ポンプ１７の駆動が行われず、ペアチューブ３１内の滞留水が凍結し、該凍結によって管路の損傷が引き起こされるという問題が生じる虞があった。
【００１６】
特に、図６に示すような一缶二水路タイプの燃焼機器では、給湯のみの給湯単独運転が行われたときに、追い焚き熱交換器３をも加熱されるので、追い焚き熱交換器３内およびその近傍領域の追い焚き循環通路２３内の水温が上昇し、一方、給湯単独運転が行われてもペアチューブ３１内の水温は殆ど上昇しないことから、ペアチューブ３１内の滞留水が凍結する直前の温度まで低下しているのにも拘わらず、風呂温度センサ２１の検出水温が循環通路しきい値よりも低下しておらず、このために、循環ポンプ１７が駆動せずペアチューブ３１内の水が凍結してしまうという問題が生じる確率が高くなってしまう。
【００１７】
この発明は上記課題を解決するために成されたものであり、その目的は、追い焚き循環通路の外部配管部分の水が凍結する前に循環ポンプを確実に駆動させることができ、追い焚き循環通路の水の凍結を防止することが可能な燃焼機器を提供することである。
【００１８】
【課題を解決するための手段】
上記目的を達成するために、この発明は次のような構成をもって前記課題を解決する手段としている。すなわち、第１の発明は、浴槽湯水を循環させるための循環ポンプ付き追い焚き循環通路と、該追い焚き循環通路内の水温を検出する循環通路水温検出手段と、燃焼機器を取り巻く外気温を検出する外気温検出手段とを有し、追い焚き循環通路内の検出水温が当該水温に対する設定のしきい値よりも低下する条件と検出外気温が当該外気温に対する設定の外気温しきい値よりも低下する条件との少なくとも一方を満たしたときに循環ポンプを駆動する凍結防止用ポンプ駆動条件および予め定めたポンプ停止条件に基づいて循環ポンプの駆動・停止を制御して追い焚き循環通路内の水の凍結を防止する凍結防止機能を備えた燃焼機器であって、循環ポンプの駆動中あるいはその停止直後に前記循環通路水温検出手段により検出される追い焚き循環通路内の水温と、上記外気温検出手段により検出される外気温と、上記追い焚き循環通路内の水温と外気温を組み合わせてポンプ待機許容時間を求めるための予め与えられたデータとによって、循環ポンプが停止してから、追い焚き循環通路内の水が凍結する前に循環ポンプを駆動させるまでのポンプ待機許容時間を求めるポンプ待機許容時間検出部と；前記ポンプ停止条件に基づいて循環ポンプが停止してから上記ポンプ待機許容時間検出部により検出されたポンプ待機許容時間を経過したときには、上記凍結防止用ポンプ駆動条件が満たされていなくても、循環ポンプを駆動させて追い焚き循環通路内の水の凍結を防止する凍結防止ポンプ駆動制御部と；が設けられている構成をもって前記課題を解決する手段としている。
【００１９】
第２の発明は、浴槽湯水を循環させるための循環ポンプ付き追い焚き循環通路と、該追い焚き循環通路内の水温を検出する循環通路水温検出手段と、燃焼機器を取り巻く外気温を検出する外気温検出手段とを有し、予め定めた凍結防止用ポンプ駆動条件およびポンプ停止条件に基づいて循環ポンプの駆動・停止を制御して追い焚き循環通路内の水の凍結を防止する凍結防止機能を備えた燃焼機器であって、循環ポンプの駆動中あるいはその停止直後に前記循環通路水温検出手段により検出される追い焚き循環通路内の水温と、上記外気温検出手段により検出される外気温と、上記追い焚き循環通路内の水温と外気温を組み合わせてポンプ待機許容時間を求めるための予め与えられたデータとによって、循環ポンプが停止してから、追い焚き循環通路内の水が凍結する前に循環ポンプを駆動させるまでのポンプ待機許容時間を求めるポンプ待機許容時間検出部と；前記ポンプ停止条件に基づいて循環ポンプが停止してから上記ポンプ待機許容時間検出部により検出されたポンプ待機許容時間を経過したときには、上記凍結防止用ポンプ駆動条件が満たされていなくても、循環ポンプを駆動させて追い焚き循環通路内の水の凍結を防止する凍結防止ポンプ駆動制御部と；ポンプ待機許容時間のデータを格納するデータ格納部と；循環ポンプの停止中に、予め定めたタイミング毎に、更新用のポンプ待機許容時間を検出し、該検出された更新用のポンプ待機許容時間が前記データ格納部に格納されているポンプ待機許容時間よりも短いときには、上記データ格納部のポンプ待機許容時間を上記更新用のポンプ待機許容時間に更新するポンプ待機許容時間更新部と；が設けられ、凍結防止ポンプ駆動制御部は、上記データ格納部に格納されているポンプ待機許容時間に基づいて循環ポンプの駆動制御を行う構成をもって前記課題を解決する手段としている。
【００２０】
第３の発明は、上記第２の発明を構成するポンプ待機許容時間更新部は、前回の循環ポンプの駆動中あるいはその停止直後に循環通路水温検出手段により検出された追い焚き循環通路内の水温に基づいて、更新用のポンプ待機許容時間を検出してポンプ待機許容時間の更新動作を行う構成と成している構成をもって前記課題を解決する手段としている。
【００２１】
第４の発明は、浴槽湯水を循環させるための循環ポンプ付き追い焚き循環通路と、該追い焚き循環通路内の水温を検出する循環通路水温検出手段とを有し、予め定めた凍結防止用ポンプ駆動条件およびポンプ停止条件に基づいて循環ポンプの駆動・停止を制御して追い焚き循環通路内の水の凍結を防止する凍結防止機能を備えた燃焼機器であって、循環ポンプの駆動中あるいはその停止直後に循環通路水温検出手段により追い焚き循環通路の水温を検出した後の循環ポンプの停止中に、予め定めた温度検出用タイミング間隔時間で循環ポンプを強制的に駆動させて循環通路水温検出手段により追い焚き循環通路内の水温を検出し、該検出された追い焚き循環通路の水温と前回検出された追い焚き循環通路内の水温との偏差を検出する温度偏差検出部と；循環ポンプの停止中における追い焚き循環通路内の水の時間的な温度変化に基づいて燃焼機器を取り巻く外気温を推定検出するためのデータが与えられ、該データと、前記温度偏差検出部により検出される追い焚き循環通路の水温偏差と、前記温度偏差検出部のタイミング間隔時間とに基づき、燃焼機器を取り巻く外気温を推定検出する外気温推定検出部と；循環ポンプの駆動中あるいはその停止直後に前記循環通路水温検出手段により検出される追い焚き循環通路内の水温と、上記外気温推定検出部により推定検出される外気温と、上記追い焚き循環通路内の水温と上記外気温を組み合わせてポンプ待機許容時間を求めるための予め与えられたデータとによって、循環ポンプが停止してから、追い焚き循環通路内の水が凍結する前に循環ポンプを駆動させるまでのポンプ待機許容時間を求めるポンプ待機許容時間検出部と；前記ポンプ停止条件に基づいて循環ポンプが停止してから上記ポンプ待機許容時間検出部により検出されたポンプ待機許容時間を経過したときには、上記凍結防止用ポンプ駆動条件が満たされていなくても、循環ポンプを駆動させて追い焚き循環通路内の水の凍結を防止する凍結防止ポンプ駆動制御部と；が設けられている構成をもって前記課題を解決する手段としている。更に第５の発明は、上記第２又は第３の発明の構成に加えて、循環ポンプの駆動中あるいはその停止直後に循環通路水温検出手段により追い焚き循環通路の水温を検出した後の循環ポンプの停止中に、予め定めた温度検出用タイミング間隔時間で循環ポンプを強制的に駆動させて循環通路水温検出手段により追い焚き循環通路内の水温を検出し、該検出された追い焚き循環通路の水温と前回検出された追い焚き循環通路内の水温との偏差を検出する温度偏差検出部と；循環ポンプの停止中における追い焚き循環通路内の水の時間的な温度変化に基づいて燃焼機器を取り巻く外気温を推定検出するためのデータが与えられ、該データと、前記温度偏差検出部により検出される追い焚き循環通路の水温偏差と、前記温度偏差検出部のタイミング間隔時間とに基づき、燃焼機器を取り巻く外気温を推定検出する外気温推定検出部と；が設けられており、ポンプ待機許容時間検出部は、外気温検出手段の検出外気温に代えて、上記外気温推定検出部により推定検出される外気温を利用して、ポンプ待機許容時間を求める構成と成している構成をもって前記課題を解決する手段としている。
【００２２】
第６の発明は、上記第２〜第５の発明の何れか１つの発明の構成を備え、外気温検出手段により検出される外気温が設定の外気温しきい値よりも低下したとき、あるいは、循環通路水温検出手段により検出される追い焚き循環通路の水温が設定の循環通路水温しきい値よりも低下したときに、凍結防止用ポンプ駆動条件が満たされたとして循環ポンプを強制的に駆動させ追い焚き循環通路内の水の凍結を防止する凍結防止制御部が設けられている構成をもって前記課題を解決する手段としている。
【００２３】
上記構成の発明において、例えば、凍結防止用ポンプ駆動条件が満たされて循環ポンプの駆動が開始されると、浴槽湯水が追い焚き循環通路内を循環するので、追い焚き循環通路内の全領域に亙り水温はほぼ均一となる。この循環ポンプの駆動中あるいはその停止直後に、外気温検出手段により燃焼機器を取り巻く外気温を検出し、また、循環通路水温検出手段により追い焚き循環通路内の水温を検出する。上記のように追い焚き循環通路内の全領域に亙り水温はほぼ均一となっていることから、上記循環通路水温検出手段の検出水温を追い焚き循環通路の外部配管部分の水温と見なすことが可能である。
【００２４】
ポンプ待機許容時間検出部は、上記検出された追い焚き循環通路の水温と、外気温検出手段の検出外気温と、追い焚き循環通路の水温と外気温との組み合わせによってポンプ待機許容時間を求めるためのデータとに基づき、上記検出された外気温に外部配管が晒されている状態でその外部配管内の水が上記検出水温から凍結直前の温度に低下するまでの時間をポンプ待機許容時間として求める。
【００２５】
凍結防止ポンプ駆動制御部は、凍結防止用ポンプ停止条件に基づいて循環ポンプが停止してから上記ポンプ待機許容時間が経過したときには、凍結防止用ポンプ駆動条件が満たされていなくても、循環ポンプを駆動させて追い焚き循環通路内の水を流動させて凍結を防止する。
【００２６】
上記の如く、上記追い焚き循環通路で最も凍結し易い外部配管内の滞留水の冷却スピードを考慮したポンプ待機許容時間に基づいて、循環ポンプを駆動して追い焚き循環通路内の水を流動させることができるので、外部配管内の水が凍結してしまうという問題を回避することができる。つまり、追い焚き循環通路内の水の凍結を確実に防止することができる。
【００２７】
【発明の実施の形態】
以下に、この発明に係る実施形態例を図面に基づき説明する。
【００２８】
第１の実施形態例に示す燃焼機器は、前記図６の燃焼機器のシステム構成を有し、特徴的なことは、追い焚き循環通路２３内で最も凍結し易いペアチューブ３１部分の水の凍結を確実に防止することができる制御構成を備えたことである。なお、この実施形態例の説明において、図６に示す燃焼機器のシステム構成の説明は前述したので、その共通部分の重複説明は省略する。
【００２９】
図１には第１の実施形態例において特徴的な制御構成が実線により示されている。この第１の実施形態例に示す制御装置２７は、同図の実線に示すように、ポンプ待機許容時間更新部３５とポンプ待機許容時間検出部３６とタイマ３７とデータ格納部４０とポンプ駆動部４１と凍結防止ポンプ駆動制御部４２と凍結防止制御部４３とを有して構成されている。
【００３０】
凍結防止制御部４３には凍結防止用ポンプ駆動条件とポンプ停止条件とが予め与えられており、凍結防止制御部４３は、風呂温度センサ２１により検出される追い焚き循環通路２３内の水温Ｔｈと、外気温センサ３２により検出される外気温Ｔｇとを時々刻々と取り込み、これら取り込んだ検出値と、上記凍結防止用ポンプ駆動条件およびポンプ停止条件とに基づき循環ポンプ１７の駆動・停止を制御する。
【００３１】
この実施形態例では、上記凍結防止用ポンプ駆動条件として次の２つの条件が与えられている。第１の条件は、風呂温度センサ２１により検出される追い焚き循環通路２３内の水温Ｔｈが設定の循環通路しきい値Ｔhstart（例えば、８℃）よりも低下したときであり、第２の条件は、外気温センサ３２により検出される外気温Ｔｇが設定の外気温しきい値Ｔgstart（例えば、７℃）よりも低下したときである。
【００３２】
上記循環通路しきい値Ｔhstartと外気温しきい値Ｔgstartは記憶装置であるデータ格納部４０に予め格納されている。循環ポンプ１７の停止中における風呂温度センサ２１の検出水温はペアチューブ３１内の水温よりも高めであることから、燃焼機器の周りの外気温が水を凍結させる温度に低下している状態で、循環ポンプ停止中における風呂温度センサ２１の検出水温に対するペアチューブ３１内の水温の偏差を実験や演算等により求め、この水温の偏差を考慮して、追い焚き循環通路２３の中で最も凍結し易いペアチューブ３１部分の水が凍結する前に循環ポンプ１７を駆動させるための上記循環通路しきい値Ｔhstartが求め与えられている。
【００３３】
また、外気温センサ３２は器具ケース１内に配設されていることから、外気温センサ３２により検出される外気温はペアチューブ３１の周りの外気温よりも高めとなることから、外気温センサ３２の検出外気温に対するペアチューブ３１の周りの外気温の偏差を実験や演算等により求め、この外気温の偏差を考慮して、上記外気温しきい値Ｔgstartが求め与えられている。
【００３４】
凍結防止制御部４３は、上記取り込んだ風呂温度センサ２１の検出水温Ｔｈと外気温センサ３２の検出外気温Ｔｇをデータ格納部４０のそれぞれ対応する循環通路しきい値Ｔhstart、外気温しきい値Ｔgstartに比較し、検出値が上記しきい値よりも低いか否かを判断し、この判断結果によって、上記第１の条件と第２の条件のうちの少なくとも一方が満たされたと判断したときに凍結防止用ポンプ駆動条件が満たされたと判断し、循環ポンプ１７の駆動指令をポンプ駆動部４１に発する。ポンプ駆動部４１は上記駆動指令を受けて、循環ポンプ１７を駆動させる。このように、循環ポンプ１７を駆動させることによって追い焚き循環通路２３内の水を流動させて追い焚き循環通路２３内の水の凍結を防止する。
【００３５】
また、この実施形態例では、風呂温度センサ２１の検出水温Ｔｈが設定の停止温度Ｔhstop（例えば、９℃）よりも上昇したときがポンプ停止条件として予め与えられている。上記停止温度Ｔhstopはデータ格納部４０に予め格納されており、凍結防止制御部４３は凍結防止用に循環ポンプ１７が駆動した以降にも引き続き風呂温度センサ２１の検出水温Ｔｈを時々刻々と取り込み、該検出水温Ｔｈを上記データ格納部４０の停止温度Ｔhstopに比較し、風呂温度センサ２１の検出水温Ｔｈが設定の停止温度Ｔhstopよりも上昇したと判断したときにポンプ停止条件が満たされたと判断し、循環ポンプ１７の駆動により浴槽湯水が追い焚き循環通路２３内を循環して凍結の心配がない水温を持つ浴槽湯水が追い焚き循環通路２３内を満たしたので追い焚き循環通路２３内の水の凍結の虞がなくなったと判断し、循環ポンプ１７の停止指令をポンプ駆動部４１に発し、ポンプ駆動部４１は上記停止指令を受けて、循環ポンプ１７を停止させる。
【００３６】
ポンプ待機許容時間検出部３６は上記凍結防止制御部４３の動作情報を時々刻々と取り込み、該情報に基づき凍結防止制御部４３による循環ポンプ１７の駆動が停止することを検知したときに、その循環ポンプ１７の停止直前に、外気温センサ３２から外気温Ｔｇを検出し、また、風呂温度センサ２１から追い焚き循環通路２３内の水温Ｔｈを検出する。このとき、追い焚き循環通路２３内には循環ポンプ１７の駆動によって浴槽湯水が循環しており、追い焚き循環通路２３内の全領域に亙り水温はほぼ均一であるので、風呂温度センサ２１により検出される水温はペアチューブ３１内の水温であると見なすことができる。
【００３７】
データ格納部４０には追い焚き循環通路２３内の検出水温Ｔｈと検出外気温Ｔｇとの組み合わせに基づいてポンプ待機許容時間ｔｚを求めるための待機時間検出用データが予め与えられている。上記ポンプ待機許容時間ｔｚとは、凍結防止用ポンプ停止条件に基づいて循環ポンプ１７の駆動が停止してから、ペアチューブ３１内の水が凍結する直前に循環ポンプ１７を駆動させるまでの時間のことである。つまり、この実施形態例では、燃焼機器（ペアチューブ３１）を取り巻く雰囲気が外気温Ｔｇであるときに、ペアチューブ３１内の水が水温Ｔｈから凍結する直前の温度（例えば、１℃）に低下するまでの時間をポンプ待機許容時間ｔｚとしている。
【００３８】
本発明者らは、外気温Ｔｇやペアチューブ３１内の冷却開始水温Ｔｈを様々に変化させて、ペアチューブ３１内の水温の時間的な変化を実験により求めた。図４にはその実験結果の一例が示されている。図４は、ペアチューブ３１内の冷却開始の水温を４０℃に固定した場合における外気温毎のペアチューブ３１内の水温変化を表したものであり、実線カーブＬ１は外気温が−２０℃であるときのペアチューブ３１内の水温の時間的な変化を表しており、実線カーブＬ２は外気温が−１０℃であるときのペアチューブ３１内の水温の時間的な変化を表しており、実線カーブＬ３は外気温が−５℃であるときのペアチューブ３１内の水温の時間的な変化を表しており、実線カーブＬ４は外気温が０℃であるときのペアチューブ３１内の水温の時間的な変化を表している。
【００３９】
本発明者らは上記のような実験結果に基づき、循環ポンプ１７の停止直前に検出される風呂温度センサ２１の検出水温Ｔｈと外気温センサ３２の検出外気温Ｔｇとの組み合わせによって上記ポンプ待機許容時間ｔｚを求めるための下記の式（１）に示すような演算式データを導き出すことができた。この導き出した演算式データが、この実施形態例では、待機時間検出用データとしてデータ格納部４０に格納されている。
【００４０】
ｔｚ＝（（（Ｔｇ−α）＋４４０）×（Ｔｈ＋３５９）／１１５）−６００・・・・・（１）
【００４１】
なお、式（１）に示すαは燃焼機器を取り巻く外気温に対する外気温センサ３２における検出外気温Ｔｇの温度ずれを表す定数であり、例えば、定数８℃が予め与えられている。また、式（１）のＴｇはペアチューブ３１の周りの外気温パラメータを表し、Ｔｈは冷却開始のペアチューブ３１内の水温パラメータを表しており、上記Ｔｇ，Ｔｈは摂氏温度の単位であり、式（１）により算出されるポンプ待機許容時間ｔｚは秒の時間単位である。
【００４２】
ポンプ待機許容時間検出部３６は上記の如く循環ポンプ１７の停止直前に取り込んだ風呂温度センサ２１の検出水温Ｔｈと外気温センサ３２の検出外気温Ｔｇとをそれぞれデータ格納部４０の上記待機許容時間検出用データの所定のパラメータに代入してポンプ待機許容時間ｔｚを求め、この求めたポンプ待機許容時間ｔｚをデータ格納部４０に格納する。また、ポンプ待機許容時間検出部３６は上記循環ポンプ１７の停止直前に取り込んだ風呂温度センサ２１の検出水温Ｔｈをデータ格納部４０に格納する。
【００４３】
凍結防止ポンプ駆動制御部４２は凍結防止制御部４３の動作情報を時々刻々と取り込み、該動作情報に基づき、凍結防止制御部４３により循環ポンプ１７の駆動が停止されたと判断したときに、タイマ３７の駆動を開始させる。タイマ３７は凍結防止用のポンプ駆動が停止してからの経過時間を計測する。
【００４４】
凍結防止ポンプ駆動制御部４２は上記の如くタイマ３７の駆動を開始させた後には、タイマ３７の計測時間を監視し、タイマ３７の計測時間ｔｃをデータ格納部４０に格納されているポンプ待機許容時間ｔｚに比較し、計測時間ｔｃがポンプ待機許容時間ｔｚに達したか否かを判断する。計測時間ｔｃがポンプ待機許容時間ｔｚに達する前に、凍結防止制御部４３によって循環ポンプ１７の駆動が開始されたときには、凍結防止ポンプ駆動制御部４２は上記タイマ３７を停止・リセットさせる。
【００４５】
また、凍結防止ポンプ駆動制御部４２は、上記タイマ３７の計測時間ｔｃがポンプ待機許容時間ｔｚに達したと判断したときには、凍結防止制御部４３により循環ポンプ１７が駆動される前に、つまり、前記凍結防止用ポンプ駆動条件は満たされていないけれども、ペアチューブ３１内の水が凍結する直前の温度に低下している虞があるので、ペアチューブ３１内の水の凍結を防止するために循環ポンプ１７を駆動させる必要があると判断し、ポンプ駆動部４１にポンプ駆動指令を発し、ポンプ駆動部４１によって循環ポンプ１７を強制的に駆動させる。また、凍結防止ポンプ駆動制御部４２はタイマ３７の計測時間ｔｃがポンプ待機許容時間ｔｚに達した以降にタイマ３７を停止・リセットさせる。
【００４６】
上記凍結防止ポンプ駆動制御部４２により循環ポンプ１７が強制的に駆動された以降には、前記凍結防止制御部４３によって循環ポンプ１７の停止制御が成され、この循環ポンプ１７の停止直前に上記の如くポンプ待機許容時間検出部３６によりポンプ待機許容時間ｔｚが検出される。
【００４７】
ところで、前記したように、ポンプ待機許容時間検出部３６によってポンプ待機許容時間ｔｚが検出された後に、ペアチューブ３１の周りの外気温が低下し、ペアチューブ３１内の水の冷却スピードが早められることがある。通常、ペアチューブ３１の周りの外気温が急激に大幅低下変動することはないので、上記外気温低下変動に応じて前記ポンプ待機許容時間ｔｚを短縮する方向に変更しなくても、ペアチューブ３１の水の凍結防止をほぼ確実に達成することはできるが、ここでは、より安全を図るために、循環ポンプ１７の停止中における外気温低下変動に応じて前記ポンプ待機許容時間ｔｚを短縮する方向に変更する制御構成を備えている。
【００４８】
ポンプ待機許容時間更新部３５は更新用のポンプ待機許容時間ｔｚ’を求める時間間隔が設定されているタイマ（図示せず）を内蔵しており、上記ポンプ駆動部４１の動作情報とポンプ待機許容時間検出部３６の動作情報とを時々刻々取り込み、該情報に基づいてポンプ待機許容時間検出部３６によりポンプ待機許容時間ｔｚが検出された以降の循環ポンプ１７の停止中であると検知している間には、上記内蔵のタイマに設定されているタイミング毎に外気温センサ３２により検出される外気温Ｔｇを取り込み、該取り込んだ検出外気温Ｔｇと、データ格納部４０に格納されている循環ポンプ１７の停止直前に検出した追い焚き循環通路２３内の検出水温Ｔｈと、前記待機許容時間検出用データとに基づき、更新用のポンプ待機許容時間ｔｚ’を検出する。
【００４９】
ポンプ待機許容時間更新部３５は、更新用のポンプ待機許容時間ｔｚ’を検出する度に、該更新用のポンプ待機許容時間ｔｚ’をデータ格納部４０のポンプ待機許容時間ｔｚに比較し、ポンプ待機許容時間ｔｚよりも更新用のポンプ待機許容時間ｔｚ’が短いと判断したときには、ペアチューブ３１の周りの外気温が低下したと判断し、この外気温の低下変動に伴ってポンプ待機許容時間ｔｚを変更する必要があると判断して、データ格納部４０のポンプ待機許容時間ｔｚを更新用のポンプ待機許容時間ｔｚ’に更新する。
【００５０】
このように、ポンプ待機許容時間ｔｚが更新された後には、前記凍結防止ポンプ駆動制御部４２はその更新されたポンプ待機許容時間ｔｚに基づきペアチューブ３１（追い焚き循環通路２３）の水の凍結防止動作を行う。
【００５１】
この第１の実施形態例において特徴的な凍結防止の制御構成は上記のように構成されており、以下に、凍結防止の制御動作例を図２と図３のフローチャートに基づき説明する。
【００５２】
まず、追い焚き運転が行われていないときに、給湯運転（ここでは、給湯熱交換器２により湯を作る運転を全てまとめて給湯運転とする）が停止しているか否かを判断し（ステップ１０１）、給湯運転が行われていると判断したときにはその状態のまま待機し、給湯運転が停止していると判断したときには、凍結防止ポンプ駆動制御部４２又は凍結防止制御部４３の制御による凍結防止用ポンプ駆動が行われているか否かを判断する（ステップ１０２）。なお、上記ステップ１０１で、給湯運転中であると判断したときにタイマ３７が駆動している場合には、タイマ３７のカウントを１ステップ増加させる。
【００５３】
凍結防止用ポンプ駆動が行われていないと判断したときに、タイマ３７が駆動している場合には、タイマ３７のカウントを１ステップ増加させ（ステップ１０３）、データ格納部４０にポンプ待機許容時間ｔｚのデータが格納されている場合には、上記タイマ３７のカウント時間ｔｃを上記データ格納部４０のポンプ待機許容時間ｔｚに比較して、カウント時間ｔｃがポンプ待機許容時間ｔｚよりも小さいか否かを判断する（ステップ１０４）。
【００５４】
タイマ３７が駆動していないときには、上記ステップ１０３のカウントアップ動作と、上記ステップ１０４の判断動作とは行われず、然る後に、風呂温度センサ２１により検出される水温Ｔｈを取り込み、該取り込んだ検出水温Ｔｈをデータ格納部４０に格納されている循環通路水温しきい値Ｔhstartに比較し、検出水温Ｔｈが循環通路しきい値Ｔhstartよりも低いか否かを判断する（ステップ１０５）。この判断動作により、検出水温Ｔｈが循環通路しきい値Ｔhstartよりも低いと判断したときには、追い焚き循環通路２３内の水温は低く、追い焚き循環通路２３内の水、特に、ペアチューブ３１内の水に凍結の虞があると判断し、凍結防止制御部４３は循環ポンプ１７の駆動を開始させる（ステップ１０６）。
【００５５】
凍結防止用ポンプ駆動を開始した後には、前記ステップ１０１以降の動作を繰り返して行い、前記ステップ１０２の判断動作では、上記の如く凍結防止用ポンプ駆動中であるので凍結防止用の循環ポンプ１７の駆動が行われていると判断して、風呂温度センサ２１の検出水温Ｔｈを取り込み、該検出水温Ｔｈをポンプ停止温度Ｔhstopに比較し、検出水温Ｔｈがポンプ停止温度Ｔhstopよりも高いか否かを判断する（ステップ１０７）。凍結防止用ポンプ駆動中には、設定の時間間隔毎に風呂温度センサ２１の検出水温Ｔｈを取り込んで、上記ステップ１０７の判断動作を繰り返し行い、この判断動作によって、検出水温Ｔｈがポンプ停止温度Ｔhstop以下であると判断している間は追い焚き循環通路２３内の水に凍結の虞があるので循環ポンプ１７の駆動を継続させて追い焚き循環通路２３内の水の凍結を防止する。
【００５６】
また、上記ステップ１０７で、検出水温Ｔｈがポンプ停止温度Ｔhstopよりも高くなったと判断したときには、追い焚き循環通路２３の全領域に亙り凍結の心配がない水温を持つ浴槽湯水が満たされたので、追い焚き循環通路２３内の水の凍結の虞はなくなったと判断し、このとき、ポンプ待機許容時間検出部３６は風呂温度センサ２１により検出される追い焚き循環通路２３内の水温、つまり、ペアチューブ３１内の水温Ｔｈと、外気温センサ３２により検出される外気温Ｔｇとを取り込み、また、前記データ格納部４０に格納されている待機許容時間検出用データを読み出し、上記検出値Ｔｈ，Ｔｇと待機許容時間検出用データに基づき、上記ペアチューブ３１内の水が外気温Ｔｇに晒されて冷却されて水温Ｔｈから凍結する直前の温度に低下するまでの時間をポンプ待機許容時間ｔｚとして算出し、この算出したポンプ待機許容時間ｔｚのデータおよび該ポンプ待機許容時間ｔｚを算出するのに使用した検出水温Ｔｈのデータをデータ格納部４０に格納する（ステップ１０８）。
【００５７】
ポンプ待機許容時間ｔｚの算出後に、凍結防止制御部４３は循環ポンプ１７の駆動を停止させる（ステップ１０９）。
【００５８】
そして、再び、前記ステップ１０１以降の動作が繰り返し行われ、ステップ１０２の判断動作では、凍結防止用ポンプ駆動の停止中であると判断し、タイマ３７のカウントを１ステップ増加させ、凍結防止用のポンプ駆動が停止してからの経過時間の計測を開始する。
【００５９】
次に、データ格納部４０にポンプ待機許容時間ｔｚのデータが格納されていることから、前記ステップ１０４の判断動作が行われる。つまり、タイマ３７の計測時間ｔｃをデータ格納部４０のポンプ待機許容時間ｔｚに比較して、計測時間ｔｃが上記ポンプ待機許容時間ｔｚに達しているか否かを判断する。この判断の結果、タイマ３７の計測時間ｔｃがポンプ待機許容時間ｔｚに達していないと判断したときには、ポンプ待機許容時間更新部３５が更新用のポンプ待機許容時間ｔｚ’を算出する（ステップ１１０）。
【００６０】
つまり、データ格納部４０に格納されている風呂温度センサ２１の検出水温Ｔｈを読み出し、外気温センサ３２により検出される外気温Ｔｇを取り込んで、これら検出値Ｔｈ，Ｔｇと、前記待機時間検出用データとに基づき、更新用のポンプ待機許容時間ｔｚ’を算出する。
【００６１】
そして、上記データ格納部４０に格納されているポンプ待機許容時間ｔｚを読み出し、該ポンプ待機許容時間ｔｚから上記算出した更新用のポンプ待機許容時間ｔｚ’を差し引いた差分値（ｔｚ−ｔｚ’）が、ゼロ以上であるか否かを判断し、つまり、更新用のポンプ待機許容時間ｔｚ’がポンプ待機許容時間ｔｚよりも短いか否かを判断し（ステップ１１１）、上記差分値がゼロよりも小さく、更新用のポンプ待機許容時間ｔｚ’がポンプ待機許容時間ｔｚよりも短くないと判断したときには、ペアチューブ３１の周りの外気温は前記ポンプ待機許容時間ｔｚを検出したときの外気温とほぼ等しく、ポンプ待機許容時間ｔｚを変更する必要がないと判断し、ポンプ待機許容時間ｔｚの更新を行わず、前記ステップ１０５以降の動作を繰り返し行う。
【００６２】
また、上記ステップ１１１の判断動作によって、上記差分値（ｔｚ−ｔｚ’）がゼロ以上であり、更新用のポンプ待機許容時間ｔｚ’がポンプ待機許容時間ｔｚよりも短いと判断したときには、ポンプ待機許容時間検出部３６はデータ格納部４０のポンプ待機許容時間ｔｚを更新用のポンプ待機許容時間ｔｚ’に更新し、前記ステップ１０５以降の動作を繰り返し行う。
【００６３】
循環ポンプ１７の停止中に、前記ステップ１０５で、風呂温度センサ２１の検出水温Ｔｈが循環通路しきい値Ｔhstart以上であると判断したときには、次に、凍結防止ポンプ駆動制御部４２はタイマ３７の計測時間ｔｃがポンプ待機許容時間ｔｚよりも短いか否かを判断し（ステップ１１３）、タイマ３７の計測時間ｔｃがポンプ待機許容時間ｔｚに達していないと判断したときには、さらに、外気温センサ３２により検出される外気温Ｔｇを取り込み、該検出外気温Ｔｇが外気温しきい値Ｔgstartよりも低いか否かを判断する（ステップ１１４）。
【００６４】
検出外気温Ｔｇが外気温しきい値Ｔgstart以上であると判断したときには、前記の如く、前回の循環ポンプ１７の駆動を停止してからポンプ待機許容時間ｔｚを経過しておらず、かつ、風呂温度センサ２１の検出水温Ｔｈは循環通路しきい値Ｔhstart以上であり、かつ、外気温センサ３２の検出外気温Ｔｇは外気温しきい値Ｔgstart以上であることから、追い焚き循環通路２３内の水は凍結しないと判断し、循環ポンプ１７を停止させたまま、前記ステップ１０１以降の動作を繰り返して行う。
【００６５】
この循環ポンプ１７の停止中に、前記ステップ１０５の判断動作で、検出水温Ｔｈが循環通路しきい値Ｔhstartよりも低いと判断したときには、追い焚き循環通路２３内の水に凍結の虞があると判断し、前記したように、凍結防止制御部４３によって循環ポンプ１７を駆動させる。
【００６６】
また、上記ステップ１０５の判断動作によって検出水温Ｔｈが循環通路しきい値Ｔhstart以上であると判断しても、前記ステップ１１３の判断動作で、タイマ３７の計測時間ｔｃに基づき循環ポンプ１７が停止してからポンプ待機許容時間ｔｚが経過したと判断したときには、凍結防止ポンプ駆動制御部４２は追い焚き循環通路２３（ペアチューブ３１）内の水に凍結の虞があると判断して前記ステップ１０６で循環ポンプ１７を駆動させる。さらに、上記の如く検出水温Ｔｈが循環通路しきい値Ｔhstart以上であり、循環ポンプ１７が停止してからの経過時間Ｔｃがポンプ待機許容時間ｔｚに達していなくても、前記ステップ１１４の判断動作で、検出外気温Ｔｇが外気温しきい値Ｔgstartよりも低下していると判断したときには、追い焚き循環通路２３内の水に凍結の虞があると判断して、凍結防止制御部４３は上記ステップ１０６で循環ポンプ１７の駆動を開始させて、追い焚き循環通路２３内の水の凍結を防止する。
【００６７】
上記のように、凍結防止ポンプ駆動制御部４２又は凍結防止制御部４３によって凍結防止用の循環ポンプ１７の駆動が開始された以降は、再び、前記ステップ１０１以降の動作を繰り返し行う。
【００６８】
上記のような動作が行われている一方で、凍結防止用の循環ポンプ１７の駆動が開始された以降には、図３のフローチャートに示すようなポンプ駆動制御動作も行われている。
【００６９】
まず、上記のように、追い焚き循環通路２３内の水に凍結の虞があると判断されて循環ポンプ１７の駆動が開始されると（ステップ２０１）、ポンプ駆動部４１に内蔵されているタイマＸ（図示せず）とタイマＹ（図示せず）をリセットする（ステップ２０２）。その後、タイマＸのカウントを１ステップ増加させて循環ポンプ１７を駆動させてからの経過時間の計測を開始する（ステップ２０３）。
【００７０】
そして、循環ポンプ１７の駆動による追い焚き循環通路２３内の通水が検知されたか否かを流水センサ１９のセンサ信号に基づき判断し（ステップ２０４）、通水が検知されていないと判断したときには、上記タイマＹのリセット状態を確認し（ステップ２１０）、上記タイマＸの計測時間に基づき循環ポンプ１７を駆動させてからの経過時間が所定の時間（例えば、１０分）に達したか否かを判断する（ステップ２１１）。ポンプ駆動開始時からの経過時間が所定の時間に達していないと判断したときには、上記ステップ２０３以降の動作を繰り返して行う。
【００７１】
そして、前記ステップ２０４の判断動作で、流水センサ１９の通水オン信号が出力されて循環ポンプ１７の駆動による追い焚き循環通路２３の通水が検知されたと判断したときには、前記タイマＹのカウントを１ステップ増加させ通水を検知してからの経過時間の計測を開始する（ステップ２０５）。次に、そのタイマＹの計測時間に基づいて追い焚き循環通路２３の通水が検知されてからの経過時間が所定の時間（例えば１分）に達したか否かを判断し（ステップ２０６）、通水検知時からの経過時間が上記所定の時間に達していないと判断したときには前記ステップ２０３以降の動作を繰り返して行う。
【００７２】
そして、追い焚き循環通路２３の通水が継続的に検知されている状態で、上記ステップ２０６の判断動作で、通水検知時からの経過時間が上記所定の時間に達したと判断し、さらに、追い焚き循環通路２３内の通水が検知されていることを確認したときには（ステップ２０７，２１２）、安定的に浴槽湯水が追い焚き循環通路２３内を循環していると判断し、循環ポンプ１７の駆動を継続させる。
【００７３】
このように、正常に循環ポンプ１７が駆動し追い焚き循環通路２３内を浴槽湯水が循環している状態で、前記したように、凍結防止制御部４３によって循環ポンプ１７の停止指令が発せられたか否かを判断し（ステップ２０８）、循環ポンプ１７の停止指令が発せられたと判断したときには、循環ポンプ１７を停止させる（ステップ２０９）。
【００７４】
また、上記ステップ２０８の判断動作で、循環ポンプ１７の停止指令が発せられていないと判断したときには、さらに、凍結防止運転以外の燃焼機器の運転が開始されるか否かを判断し（ステップ２１３）、凍結防止運転以外の燃焼機器の運転が開始されると判断したときには、循環ポンプ１７を停止させる（ステップ２０９）。
【００７５】
また、前記ステップ２１１の判断動作で、ポンプ駆動開始時からの経過時間が上記所定の時間に達したと判断したときには、循環ポンプ１７を所定の時間の間、駆動させても追い焚き循環通路２３の通水が検知されなかったので、浴槽１８に湯水が無いと判断し、このことから、追い焚き循環通路２３内には水が無いと想定されることから、追い焚き循環通路２３内の水の凍結の問題はなく、また、このまま、循環ポンプ１７の空運転を継続させると、循環ポンプ１７が発熱する等の問題が発生することから、循環ポンプ１７の駆動を停止させる（ステップ２０９）。
【００７６】
上記のように、凍結防止用の循環ポンプ１７の駆動が停止した後には、前記図２のステップ１０１以降の動作が行われて、凍結防止運転が継続される。
【００７７】
この実施形態例によれば、凍結防止用の循環ポンプ１７の駆動が停止してからペアチューブ３１内の水が凍結する直前の温度まで低下するのに要する時間を求めてポンプ待機許容時間ｔｚとして与えておき、循環ポンプ１７が停止してから上記ポンプ待機許容時間ｔｚを経過したときには、循環ポンプ１７を強制的に駆動させる構成を備えたので、風呂温度センサ２１の検出水温Ｔｈが循環通路しきい値Ｔhstartよりも低い、あるいは、外気温センサ３２の検出外気温Ｔｇが外気温しきい値Ｔgstartよりも低く、凍結防止用ポンプ駆動条件が満たされた場合にはもちろんのこと、その凍結防止用ポンプ駆動条件が満たされていなくても、上記ポンプ待機許容時間ｔｚおよびポンプ停止時からの経過時間に基づいてペアチューブ３１内の水温が凍結直前の温度に低下していることが想定される場合には、循環ポンプ１７を駆動させることができ、このことによって、浴槽湯水が追い焚き循環通路２３内を循環するので、追い焚き循環通路２３の中で最も凍結し易いペアチューブ３１内の水の凍結を確実に回避することができる。
【００７８】
特に、一缶二水路タイプの燃焼機器では、前記したように、給湯単独運転によるバーナ５の燃焼が行われると、追い焚き熱交換器３内の滞留水も加熱されて追い焚き熱交換器３の近傍領域の水温が上昇し、また、器具ケース１内の気温が上昇することから、外のペアチューブ３１内の水が凍結する温度まで低下しているのにも拘わらず、上記ポンプ駆動条件が満たされないという状態が発生し易いが、この実施形態例に示すように、循環ポンプ１７を停止してからペアチューブ３１内の水が凍結する直前の温度に低下するまでの時間（ポンプ待機許容時間ｔｚ）を推定し、ポンプ停止時からの経過時間が上記ポンプ待機許容時間ｔｚに達したときに循環ポンプ１７を強制的に駆動させることによって、ポンプ駆動条件が満たされていなくても、ペアチューブ３１内の水が凍結する前に循環ポンプ１７を駆動させることができて凍結問題を確実に回避することができる。このように、この実施形態例に示す凍結回避手段は、一缶二水路タイプの燃焼機器における凍結問題回避手段としては非常に有効な手段となる。
【００７９】
また、この実施形態例では、凍結防止用ポンプ駆動が停止した以降には、更新用のポンプ待機許容時間ｔｚ’を時々刻々と検出し、該更新用のポンプ待機許容時間ｔｚ’がポンプ待機許容時間ｔｚよりも短いときには、ポンプ待機許容時間ｔｚを更新用のポンプ待機許容時間ｔｚ’に更新する構成を備えたので、ペアチューブ３１を取り巻く外気温の低下変動の影響を受けずに、確実にペアチューブ３１、つまり、追い焚き循環通路２３内の水の凍結を防止することができる。
【００８０】
つまり、ポンプ待機許容時間ｔｚを検出したときのペアチューブ３１の周りの外気温よりもペアチューブ３１の周りの外気温が低下したときには、この外気温の低下によってペアチューブ３１内の水の冷却スピードが速くなるので、ペアチューブ３１内の水は循環ポンプ１７の停止時に検出されたポンプ待機許容時間ｔｚよりも短い時間で凍結する直前の温度に低下することが考えられるが、上記の如く、この実施形態例では、時々刻々と取り込まれる外気温センサ３２の検出外気温Ｔｇに応じて更新用のポンプ待機許容時間ｔｚ’が検出され、外気温Ｔｇが低下したときにはポンプ待機許容時間ｔｚを更新用のポンプ待機許容時間ｔｚ’に更新するので、外気温に応じたポンプ待機許容時間ｔｚが設定されていることとなり、このポンプ待機許容時間ｔｚとタイマ３７の計測時間ｔｃに基づき凍結防止用のポンプ駆動制御が成されるので、外気温の低下変動に拘わらず、ペアチューブ３１内の水の凍結、つまり、追い焚き循環通路２３内の水の凍結を確実に回避することができる。
【００８１】
さらに、従来では、風呂温度センサ２１の検出水温が循環通路しきい値よりも低下した場合という第１の条件と、外気温センサ３２の検出外気温が循環通路しきい値よりも低下した場合という第２の条件との両方が満たされなければ、凍結防止用のポンプ駆動が成されなかったが、この実施形態例では、上記第１の条件と第２の条件のうちの一方が満たされた場合には、凍結防止用のポンプ駆動が行われるので、より確実に凍結防止を図ることができる。
【００８２】
以下に、第２の実施形態例を説明する。この第２の実施形態例において特徴的なことは、燃焼機器を取り巻く外気温を推定検出し、外気温センサ３２により検出される外気温に代えて、推定検出した外気温に基づきポンプ待機許容時間ｔｚを求める構成を備えたことである。それ以外の構成は前記第１の実施形態例と同様であり、その共通部分の重複説明は省略する。
【００８３】
ところで、図５に示すように、燃焼機器は室内に設置されるが、ペアチューブ３１は室外を引き回されて浴槽１８に接続される場合がある。このような場合に、器具ケース１内に設けられる外気温センサ３２では、ペアチューブ３１を取り巻く外気温を検出するのは非常に困難であり、ペアチューブ３１内の滞留水が凍結する前に循環ポンプ１７を駆動させるためのポンプ待機許容時間ｔｚを上記外気温センサ３２の検出値に基づいて正確に求めることは難しい。そこで、この実施形態例では、ペアチューブ３１を取り巻く外気温を推定検出してペアチューブ３１内の滞留水の凍結を確実に回避することができる構成を備えた。
【００８４】
この第２の実施形態例に示す制御装置２７は、図１の実線に示す前記第１の実施形態例に示した制御構成に加えて、同図の点線に示すように、温度偏差検出部４４と外気温推定検出部４５とを有して構成されている。
【００８５】
上記温度偏差検出部４４は、図１の点線に示すように、偏差算出部４６と温度取り込み部４７と温度検出用強制ポンプ駆動部４８とを有して構成されている。温度検出用強制ポンプ駆動部４８は予め定めた温度検出用タイミングで循環ポンプ１７を強制的に駆動させる構成を有する。例えば、入浴が終了していると想定される午前０時を冷却開始温度検出用タイミングとして、また、気温がかなり低下すると想定される午前４時を比較温度検出用タイミングとしてそれぞれ定め、それらタイミングのデータをデータ格納部４０に格納しておく。
【００８６】
温度検出用強制ポンプ駆動部４８は、リモコン２８の時計機構（図示せず）によって上記冷却開始温度検出用タイミングの時間であると判断したときに、追い焚きや給湯等の燃焼運転が行われていないことを確認した後に、ポンプ駆動部４１にポンプ駆動指令を発し、ポンプ駆動部４１によって循環ポンプ１７を強制的に予め定めた時間の間、駆動させる。
【００８７】
温度取り込み部４７は上記温度検出用強制ポンプ駆動部４８の動作情報を時々刻々と取り込み、該情報に基づき冷却開始温度検出用のポンプ駆動が開始されたと検知し、浴槽湯水が追い焚き循環通路２３内を十分に循環したと判断した以降に、風呂温度センサ２１により検出される温度を冷却開始時のペアチューブ３１内の水温として取り込み、該取り込んだ温度データをデータ格納部４０に格納する。
【００８８】
また、温度検出用強制ポンプ駆動部４８は上記リモコン２８の時計機構によって上記比較温度検出用タイミングの時間であると判断したときに、上記同様に循環ポンプ１７を強制的に予め定めた時間の間、駆動させる。温度取り込み部４７は、温度検出用強制ポンプ駆動部４８の動作情報に基づいて比較温度検出用のポンプ駆動が開始されたと検知したときに風呂温度センサ２１の検出水温変動の監視を開始する。循環ポンプ１７の停止中には、追い焚き循環通路２３の中でペアチューブ３１の部分が最も水温が低くなっていることから、温度取り込み部４７は上記検出水温変動の監視の結果に基づき、検出水温が最も低下している領域内の検出水温Ｔｈをペアチューブ３１内の水温として検出し、この検出温度を比較温度として偏差算出部４６に出力する。
【００８９】
偏差算出部４６は上記比較温度のデータを受け取ると、前記データ格納部４０に格納されている冷却開始温度のデータを読み出し、この冷却開始温度から上記比較温度を差し引いてペアチューブ３１内の水の冷却開始からの温度低下偏差ΔＴを求め、この求めた温度偏差ΔＴのデータを外気温推定検出部４５に出力する。
【００９０】
データ格納部４０には冷却開始温度検出用タイミングで循環ポンプ１７を駆動させたときから比較温度検出用タイミングで循環ポンプ１７を駆動させるまでの予め定まる時間Δｔが格納されていると共に、該時間Δｔと、上記偏差算出部４６により求められる温度偏差ΔＴとに基づきペアチューブ３１を取り巻く外気温を推定検出するための外気温推定検出用データが格納されている。
【００９１】
外気温推定検出部４５は上記偏差算出部４６により求められた温度偏差ΔＴと、上記データ格納部４０に格納されている時間Δｔおよび外気温推定検出用データとに基づき、ペアチューブ３１を取り巻く外気温を推定検出する。
【００９２】
具体的には、例えば、外気温推定検出用データとして、図４に示すような外気温毎のペアチューブ３１内の滞留水の時間的な温度変化のデータが与えられ、偏差算出部４６によって検出温度偏差ΔＴが検出された場合には、冷却開始温度４０℃を検出してから時間Δｔを経過したときに、冷却開始温度４０℃から上記温度偏差ΔＴだけペアチューブ３１内の水温が低下しているので、ペアチューブ３１内の水温は図４の実線カーブＬ２に示す温度変化を示すと判断し、この実線カーブＬ２は外気温−１０℃に対する温度変化データであることから、ペアチューブ３１の周りの外気温は−１０℃であると求めることができる。
【００９３】
なお、ここでは、冷却開始温度が４０℃である場合の、ペアチューブ３１内の滞留水の時間的な温度変化のデータの一例を示したが、もちろん、冷却開始温度が４０℃以外である場合に関しても、上記同様なペアチューブ３１の滞留水の時間的な温度変化のデータが与えられている。
【００９４】
外気温推定検出部４５は上記の如く推定検出した外気温のデータをポンプ待機許容時間検出部３６に出力する。
【００９５】
ポンプ待機許容時間検出部３６は上記推定検出された外気温を受け取ると、外気温センサ３２の検出外気温に代えて、推定検出された外気温に基づき前記第１の実施形態例に示したと同様にポンプ待機許容時間ｔｚを検出し、凍結防止ポンプ駆動制御部４２は前記温度検出用強制ポンプ駆動部４８による循環ポンプ１７の強制駆動が停止してからの経過時間が上記ポンプ待機許容時間検出部３６により求められたポンプ待機許容時間ｔｚに達したときには循環ポンプ１７を駆動させて追い焚き循環通路２３の、特にペアチューブ３１の水の凍結を防止する。
【００９６】
この実施形態例によれば、ペアチューブ３１内の滞留水の冷却温度変化に基づいてペアチューブ３１の周りの外気温を推定検出する構成を備えたので、ペアチューブ３１の周りの外気温をほぼ正確に推定検出することができ、該推定検出された外気温に基づきポンプ待機許容時間ｔｚを検出するので、ペアチューブ３１内の滞留水が凍結する直前の温度に低下するまでの時間をポンプ待機許容時間ｔｚとして正確に求めることができ、このことによって、ペアチューブ３１内の滞留水の凍結を確実に防止することができる。
【００９７】
特に、図５に示すように、燃焼機器が室内に設置され、ペアチューブ３１が室外に引き回されている場合には、室内の暖房等によって室内の気温変化傾向と室外の気温変化傾向とは異なることが多く、ペアチューブ３１の周りの外気温の変化を外気温センサ３２の検出値に基づき検知することが非常に困難であることから、正確なポンプ待機許容時間ｔｚを検知することが難しいが、この実施形態例に示すように、ペアチューブ３１の滞留水の冷却温度変化を利用してペアチューブ３１の周りの外気温を推定検出する構成を備えることによって、図５に示すような設置形態のものでも、上記の如く正確なポンプ待機許容時間ｔｚを検出することができ、ペアチューブ３１内の水の凍結を確実に回避することができる。
【００９８】
なお、この発明は上記各実施形態例に限定されるものではなく、様々な実施の形態を採り得る。例えば、上記各実施形態例では、ポンプ待機許容時間検出部３６は、循環ポンプ１７を停止させる直前に、風呂温度センサ２１から追い焚き循環通路２３内の水温を検出していたが、例えば、循環ポンプ１７の駆動により浴槽湯水が追い焚き循環通路２３内を循環して追い焚き循環通路２３の全領域に亙り湯水温度がほぼ均一になった状態であれば、何れの時にも風呂温度センサ２１の検出水温を取り込んでもよく、例えば、循環ポンプ１７の駆動を開始させてから、追い焚き循環通路２３の全領域の水温が均一になると想定される時間を経過した以降の循環ポンプ１７の駆動中に、ポンプ待機許容時間検出部３６は風呂温度センサ２１の検出水温を取り込んでもよいし、また、循環ポンプ１７の停止直後に風呂温度センサ２１の検出水温を取り込んでもよい。
【００９９】
また、上記各実施形態例では、ポンプ駆動条件として前記したような第１の条件と第２の条件が与えられていたが、例えば、上記第１と第２の条件に加えて、予め定めた時間（例えば最も気温が低下すると想定される午前５時）に循環ポンプ１７を駆動させるという条件を与えてもよいし、又は、風呂の使用の有無を監視し該監視情報に基づいて日々の平均的な風呂の使用時間帯を検出し、この検出した風呂の使用時間帯に基づき１日の入浴が終わると想定される時間から所定の時間（例えば、５時間）を経過した時に、循環ポンプ１７を駆動させるという条件を与えてもよい。このような場合にも、ポンプ駆動条件として与えられた複数の条件の何れか１つの条件が満たされたときには循環ポンプ１７を強制的に駆動させ、この循環ポンプ１７の駆動中あるいはその停止直後に、ポンプ待機許容時間検出部３６によりポンプ待機許容時間ｔｚを検出する。
【０１００】
さらに、上記各実施形態例では、ポンプ待機許容時間検出部３６は凍結防止用のポンプ駆動が停止する直前にポンプ待機許容時間ｔｚを求めていたが、追い焚き運転による循環ポンプ１７の駆動中あるいはその直後にもポンプ待機許容時間ｔｚを求めるようにしてもよい。
【０１０１】
さらに、上記各実施形態例では、更新用のポンプ待機許容時間ｔｚ’は、ポンプ待機許容時間ｔｚを求める際に使用された風呂温度センサ２１の検出水温Ｔｈを利用して求められていたが、例えば、ポンプ待機許容時間検出部３６によって検出されるポンプ待機許容時間ｔｚからタイマ３７のカウントを減少させていく場合には、ポンプ待機許容時間更新部３５は時々刻々と風呂温度センサ２１の検出水温を取り込み、該取り込んだ風呂温度センサ２１の検出水温に基づき更新用のポンプ待機許容時間ｔｚ’を検出してもよい。このような場合には、例えば、タイマ３７のカウント時間と上記更新用のポンプ待機許容時間ｔｚ’を比較し、更新用のポンプ待機許容時間ｔｚ’がタイマ３７のカウント時間よりも短いと判断した場合には、タイマ３７のカウント時間を上記更新用のポンプ待機許容時間ｔｚ’に変更するように構成される。
【０１０２】
さらに、上記各実施形態例では、待機時間検出用データは演算式データにより与えられていたが、風呂温度センサ２１の検出水温Ｔｈと、外気温センサ３２の検出外気温Ｔｇとに基づきポンプ待機許容時間ｔｚを求めるための表データや演算式データを待機時間検出用データとして与えてもよい。
【０１０３】
さらに、第２の実施形態例では、外気温推定検出用データはグラフデータにより構成されていたが、外気温推定検出用データは表データにより構成してもよいし、偏差算出部４６により検出される温度偏差ΔＴと、冷却温度を検出してから比較温度を検出するまでの時間Δｔとをパラメータとしてペアチューブ３１の周りの外気温を推定検出する演算式データを外気温推定検出用データとして与えてもよい。
【０１０４】
さらに、上記各実施形態例は、一缶二水路タイプの給湯風呂複合器を例にして説明したが、この発明は、浴槽湯水を循環させる循環ポンプ付き追い焚き循環通路を備えているものであれば適用することができ、例えば、二缶二水路タイプの給湯風呂複合器や、給湯機能を持たない風呂単独の風呂装置等にも適用することができる。
【０１０５】
【発明の効果】
この発明によれば、循環ポンプが停止してから追い焚き循環通路内の水が凍結する前に循環ポンプを駆動させるまでの時間をポンプ待機許容時間として求め、凍結防止用のポンプ停止条件に基づき循環ポンプが停止してから上記ポンプ待機許容時間が経過したときには、循環ポンプを駆動させる構成を備えたので、凍結防止用ポンプ駆動条件が満たされたときには循環ポンプを駆動させて追い焚き循環通路内の水の凍結防止が図られるのはもちろんのこと、凍結防止用ポンプ駆動条件が満たされていなくても、凍結防止用のポンプ停止条件に基づき循環ポンプが停止してから上記ポンプ待機許容時間が経過したときには、追い焚き循環通路内で最も凍結する虞がある外部配管部分での水温が凍結する直前の温度に低下していると検知することができ、このような場合に循環ポンプの駆動が行われるので、浴槽湯水が追い焚き循環通路内を循環し、追い焚き循環通路、特に、外部配管部分での水の凍結を確実に回避することができる。
【０１０６】
循環ポンプの停止中に、予め定めたタイミング毎に更新用のポンプ待機許容時間を検出し、該更新用のポンプ待機許容時間が前に検出されたポンプ待機許容時間よりも短いときには、ポンプ待機許容時間を更新用のポンプ待機許容時間に更新する構成を備えたものや、特に、更新用のポンプ待機許容時間を検出する場合に、前回の循環ポンプの駆動中あるいはその停止直後に検出された追い焚き循環通路の水温に基づき更新用のポンプ待機許容時間を検出する構成を備えたものにあっては、ポンプ待機許容時間を検出したときよりも外気温が低下して追い焚き循環通路内の水の冷却速度が速くなった場合に、その冷却速度変化に応じてポンプ待機許容時間を変更できるので、外気温変動に対応した凍結防止運転を行うことができ、より確実に追い焚き循環通路の水の凍結を回避することができる。
【０１０７】
燃焼機器を取り巻く外気温を推定検出する構成を備えたものにあっては、凍結する確率が最も高い追い焚き循環通路の外部配管部分を取り巻く外気温を推定検出することが容易となり、この外部配管部分の周りの外気温に基づき前記ポンプ待機許容時間が検出され該ポンプ待機許容時間に基づいた凍結防止運転が行われるので、外部配管部分の凍結をより確実に回避することができる。
【０１０８】
検出外気温が外気温しきい値よりも低下したとき、あるいは、検出追い焚き循環通路内の水温が循環通路しきい値よりも低下したときに、凍結防止用ポンプ駆動条件が満たされたと判断し、循環ポンプを駆動させる構成を備えたものにあっては、検出追い焚き循環通路内の水温が循環通路しきい値よりも低下していなくても、検出外気温が外気温しきい値よりも低下したときには凍結防止用に循環ポンプが駆動され、また、検出外気温が外気温しきい値よりも低下していなくても、検出追い焚き循環通路内の水温が循環通路しきい値よりも低下したときには凍結防止用に循環ポンプが駆動されることとなる。
【０１０９】
これに対して、例えば、検出外気温が外気温しきい値よりも低下し、かつ、検出追い焚き循環通路内の水温が循環通路しきい値よりも低下したときに、凍結防止用ポンプ駆動条件が満たされたと判断して凍結防止用のポンプ駆動を行う構成のものでは、外部配管部分の水温が凍結する温度まで低下しているのにも拘わらず、上記検出外気温と検出循環通路の水温との一方が上記しきい値よりも低下していないために、循環ポンプが駆動されず、上記外部配管部分の水が凍結してしまうという問題が生じ易いが、この発明では、上記の如く、検出外気温と検出循環通路の水温との少なくとも一方が上記しきい値よりも低下した場合には循環ポンプが駆動されるので、検出外気温と検出循環通路の水温との少なくとも一方に基づき追い焚き循環通路の水の凍結が考えられる場合には、循環ポンプが駆動する。その上、この発明では、上記の如く、ポンプ待機許容時間に基づいても凍結防止用の循環ポンプ駆動制御が行われるので、追い焚き循環通路の水の凍結を確実に回避することができる。
【図面の簡単な説明】
【図１】上記各実施形態例において特徴的な制御構成を示すブロック構成図である。
【図２】凍結防止運転動作の一実施形態例を示すフローチャートである。
【図３】凍結防止運転における循環ポンプの駆動制御動作の一例を示すフローチャートである。
【図４】ペアチューブ内の滞留水の時間的な冷却温度変化の一例を示すグラフである。
【図５】燃焼機器と浴槽との配設例を示す説明図である。
【図６】燃焼機器の一例を示すモデル図である。
【符号の説明】
３  追い焚き熱交換器
１７  循環ポンプ
１８  浴槽
２１  風呂温度センサ
２３  追い焚き循環通路
３１  ペアチューブ
３２  外気温センサ
３５  ポンプ待機許容時間更新部
３６  ポンプ待機許容時間検出部
４０  データ格納部
４２  凍結防止ポンプ駆動制御部
４３  凍結防止制御部
４４  温度偏差検出部
４５  外気温推定検出部
【図１】
0003859867.tif 000002
【図２】
0003859867.tif 000003
【図３】
0003859867.tif 000004
【図４】
0003859867.tif 000005
【図５】
0003859867.tif 000006
【図６】
0003859867.tif 000007